(57)【特許請求の範囲】
【請求項１】
光ビームを記録媒体の所望の位置に照射する光照射手段と、前記光ビームの照射位置に磁界を印加する磁界印加手段とを有する光磁気記憶装置の調整方法において、
前記記録媒体上での磁界強度の、前記記録媒体半径方向、接線方向に対する分布が、前記磁界印加手段の中央位置でピーク値となる円弧状の分布となる磁界を前記磁界印加手段から前記記録媒体に印加して、前記記録媒体から情報を再生し、
その再生信号振幅に応じて前記磁界印加手段と前記光照射手段との相対位置を調整することを特徴とする光磁気記憶装置の調整方法。
【請求項２】
前記磁界強度を、前記磁界印加手段に供給する電流を制御することにより磁界強度に対する再生信号振幅の変化率が最大値となる所定の範囲内の磁界強度に設定することを特徴とする請求項１記載の光磁気記憶装置の調整方法。
【請求項３】
前記磁界強度は、前記磁界印加手段と前記記録媒体との距離を制御することにより磁界強度に対する再生信号振幅の変化率が最大値となる所定の範囲内の磁界強度に設定されることを特徴とする請求項１又は２記載の光磁気記憶装置の調整方法。
【請求項４】
前記再生信号振幅が最大値となる位置関係とになるように前記磁界印加手段と前記光照射手段との相対位置を調整することを特徴とする請求項１乃至３のいずれか一項記載の光磁気記憶装置の調整方法。
【請求項５】
前記照射手段から供給される光の中心に対向して磁性体を設けることにより前記磁界印加手段で発生した磁束を、該光の中心部に集中させることを特徴とする請求項１乃至４記載の光磁気記憶装置の調整方法。
【請求項６】
前記磁界印加手段で発生する磁界の中心に対応した位置に調整用磁界発生手段を設け、
調整時に該調整用磁界発生手段で発生される磁束を、該光の中心部に集中させることを特徴とする請求項１乃至４記載の光磁気記憶装置の調整方法。
【請求項７】
光ビームを記録媒体の所望の位置に照射する光照射手段と、前記光ビームの照射位置に磁界を印加する磁界印加手段とを有する光磁気記憶装置の調整方法において、
前記照射手段から供給される光の中心に対向して磁性体を設けることにより前記磁界印加手段で発生した磁束を、該光の中心部に集中させて前記磁界印加手段から前記記録媒体に印加し、前記記録媒体から情報を再生し、
その再生信号振幅に応じて前記磁界印加手段と前記光照射手段との相対位置を調整することを特徴とする光磁気記憶装置の調整方法。
【請求項８】
光ビームを記録媒体の所望の位置に照射する光照射手段と、前記光ビームの照射位置に磁界を印加する磁界印加手段とを有する光磁気記憶装置の調整方法において、
前記磁界印加手段で発生する磁界の中心に対応した位置に調整用磁界発生手段を設け、調整時に該調整用磁界発生手段で発生される磁束を、該光の中心部に集中させることを特徴とする光磁気記憶装置の調整方法。
【請求項９】
光ビームを記録媒体の所望の位置に照射する光照射手段と、前記光ビームの照射位置に磁界を印加する磁界印加手段とを有する光磁気記憶装置において、
前記磁界印加手段の前記磁界印加手段で発生する磁界の中心に対応した位置に調整用磁界発生手段を設け、調整時に調整用磁界発生手段で発生される磁束を、該光の中心部に集中させることを特徴とする光磁気記憶装置。
【発明の詳細な説明】
【０００１】
【発明の属する技術分野】
本発明は光磁気記憶装置の調整方法及び光磁気記憶装置に係り、特に、記録媒体に光ビームと磁界とにより情報の記憶を行う光磁気記憶装置の調整方法及び光磁気記憶装置に関する。
光磁気ディスク装置などの光磁気記憶装置は、光源から出射された光を対物レンズにより記録媒体である光磁気ディスクの記録面上に集光照射して、同時に外部から磁界を印加することで情報の記憶を行う。情報の記憶時間の短縮の一つの方法として外部磁界の反転時間の短縮が可能な磁気ヘッドを採用した磁界変調記録によるオーバライト方式が提案されている。
【０００２】
このような、光磁気ディスク装置では、記録密度の向上にともない、光ビームと磁界との位置決めを正確に行う必要が出てきている。
【０００３】
【従来の技術】
図１は従来の光磁気ディスク装置の一例の要部の構成図を示す。
光学ヘッド１には光源２が設けられている。光源２から出射された光は、光学ヘッド１から出射され、反射ミラー３に供給される。
反射ミラー３は、光学ヘッド１から供給された光を９０°折曲させ、対物レンズ４に供給する。対物レンズ４は、反射ミラー３から供給された光を集光して、光磁気ディスク５に照射する。
【０００４】
対物レンズ４は、レンズホルダ６に保持される。レンズホルダ６は、アクチュエータ（図示せず）によりフォーカシング方向（矢印Ａ方向）及びトラッキング方向（矢印Ｂ方向）に移動可能とされている。
対物レンズ４の光磁気ディスク５を挟んで反対側には磁気ヘッド７が配置される。磁気ヘッド７は、サスペンションアーム８を介してキャリッジ９に取り付けられる。キャリッジ９は、アクチュエータ（図示せず）により光磁気ディスク５の半径方向（矢印Ｂ方向）に移動される。
【０００５】
このとき、磁気ヘッド７は、キャリッジ９に固定されるので、キャリッジ９が移動しても対物レンズ４と磁気ヘッド７との位置関係はかわらない。
このとき、対物レンズ４と磁気ヘッド７との位置関係は対物レンズ４を通して光磁気ディスク５に集光照射された光スポット１０と磁気ヘッド７とは光磁気ディスク５の記録面と平行な平面内においてその位置が略一致するようにキャリッジ９に固定される。
【０００６】
なお、近年、外部磁界の反転時間を短縮するために磁気ヘッド７は小型化されており、磁気ヘッド７内の磁気ヘッド素子のコイルに通電することにより発生する外部磁界の有効範囲は１００〜２００μｍと非常に狭く光スポット１０と磁気ヘッド７との位置が少しでもずれると情報の記録・再生を行うための有効な外部磁界が得られない。
【０００７】
このようなことから磁気ヘッド７のキャリッジ９への取り付けに際しては光スポット１０と磁気ヘッド７との位置調整が行われている。
ここで、従来の位置調整方法について説明する。
図２は従来の光磁気ディスク装置の一例の要部の構成図を示す。図２（Ａ）は磁気ヘッド７の断面図、図２（Ｂ）は光学系の断面図を示す。
【０００８】
図２（Ａ）に示すように磁気ヘッド７は、コイル１１、磁極部１２から構成される。磁極部１２の中心磁極１３は、光磁気ディスク５に対向する面の反射率が周囲のコイル１１、周辺磁極１４より大きくなるように設定されている。
調整時には図２（Ｂ）に示すように通常使用される光磁気ディスク５と同じ特性を持つ透明基板１５を挟んで両側に磁気ヘッド７と対物レンズ４を配し、光源２により発光された光をビームスプリッタ１６、対物レンズ４を介して透明基板１５に照射される。透明基板１５に照射された光は、透明基板１５を透過して磁気ヘッド７に到達する。磁気ヘッド７に到達した光は、磁極部１２に照射される。
【０００９】
磁気ヘッド７に照射された光は、磁気ヘッド７で反射され、透明基板１５、対物レンズ４を介してビームスプリッタ１６に供給される。ビームスプリッタ１６は、磁気ヘッド７からの反射光を光検知器１７に供給する。光検知器１７は、磁気ヘッド７からの反射光量に応じた検出信号を出力する。
このとき、磁気ヘッド７を構成する中心磁極１３には、周囲の部材より反射率が大きく設定なるように反射膜（反射テープ）が設けられ、中心コア１３、すなわち、磁気ヘッド７で発生される磁界の中心位置で、反射光量が最大となるように設定されている。
【００１０】
図３は従来の位置調整方法の一例の動作説明図を示す。図３（Ａ），（Ｃ）は磁気ヘッド７の中心と光ビーム１０の光軸１８とがずれた状態、図３（Ｂ）は磁気ヘッド７の中心と光ビーム１０の光軸１８とが一致した状態を示す。  図３（Ａ）は磁気ヘッド７の中心磁極１３が光ビーム１０の光軸１８から矢印Ｃ１方向にずれた状態であり、このような状態では、光ビーム１０の光軸１８は磁気ヘッド７の中心磁極１３の反射膜ではなく、その周辺に照射されることになる。よって、反射光量が低減する。
【００１１】
図３（Ｃ）は磁気ヘッド７の中心磁極１３が光ビーム１０の光軸１８から矢印Ｃ２方向にずれた状態であり、このような状態では、図３（Ａ）と同様に光ビーム１０の光軸１８は、磁気ヘッド７の中心磁極１３の反射膜ではなく、その周辺に照射されることになる。よって、反射光量が低減する。
図３（Ｂ）は磁気ヘッド７の中心磁極１３と光ビーム１０の光軸１８とが一致する状態であり、このような状態では、光ビーム１０の光軸１８は磁気ヘッド７の中心磁極１３に一致する。このため、磁気ヘッド７からの反射光量は最大となる。なお、このような位置ずれは、磁気ヘッド７からの反射光量の変化により検出される。
【００１２】
図４は従来の光磁気ディスク装置の一例の磁気ヘッドの位置ずれと光磁気ディスクからの反射光量との特性を示す図である。
図３（Ｂ）に示すように磁気ヘッド７の中心磁極１３と光ビーム１０の光軸１８が一致した状態では、磁気ヘッド７からの反射光量は最大値となるので、光検知器１７の出力信号は図４に実線で示すように最大値となる。
【００１３】
また、図３（Ａ），（Ｃ）に示すように磁気ヘッド７の中心磁極１３と光ビーム１０の光軸１８とがずれた状態では、磁気ヘッド７からの反射光量が減少するので、図４に破線で示すように最大値より小さいレベルとなる。よって、光検知器１７の出力が最大値となるように磁気ヘッド７の位置を調整する。
また、従来の他の位置調整方法について説明する。
【００１４】
図５は従来の位置調整方法の他の一例の動作説明図を示す。同図中、図２と同一構成部分には同一符号を付し、その説明は省略する。
この位置調整方法では、位置調整時に実際の装置で使用される光磁気ディスクもしくはそれと同等な試験用のディスク１９を使用して再生を行いながら磁気ヘッド７と対物レンズ４の相対位置を調整する。光磁気ディスク１９からの反射光はビームスプリッタ１６により分割され、ウォラストンプリズム２０に供給される。ウォラストンプリズム２０で再生信号成分が抽出された光は集光レンズ２１により集光された後、光検知器２２に供給される。
【００１５】
光検知器２２は、集光レンズ２１から供給された光から光磁気ディスク１９に予め記録された情報に応じた再生信号を得る。
光検知器２２で得られた再生信号をモニタして、その信号レベルが所定のレベルに達するように磁気ヘッド７と対物レンズ４の相対位置を調整する。
図６は従来の位置調整方法の他の一例の動作説明図を示す。図６（Ａ），（Ｃ）は磁気ヘッド７と光ビーム１０を照射する光学ヘッドと最適位置からずれた状態、図６（Ｂ）は磁気ヘッド７と光ビーム１０を照射する光学ヘッドとの位置関係が最適位置にある状態を示す。
【００１６】
例えば、特開平５−４１０４７号によれば、振幅が最大となる位置を磁気ヘッドと光学ヘッドとの位置合わせの最適位置としている。
図６（Ａ）は磁気ヘッド７が光ビーム１０の光軸１８から矢印Ｃ１方向にずれた状態、すなわち、磁気ヘッド７で発生する磁界の中心が光ビーム１０の光軸１８から矢印Ｃ１方向にずれた状態であり、このような状態では、光ビーム１０の光軸１８と磁気ヘッド７で発生する磁界の中心とがずれることになる。よって、光磁気ディスク１９上の光ビーム１０が照射される部分で磁界強度が低減することになる。
【００１７】
図６（Ｃ）は磁気ヘッド７が光ビーム１０の光軸１８から矢印Ｃ２方向にずれた状態、すなわち、磁気ヘッド７の中心が光ビーム１０の光軸１８から矢印Ｃ２方向にずれた状態であり、このような状態では、光ビーム１０の光軸１８は磁気ヘッド７の中心からずれることになる。よって、光磁気ディスク１９上の光ビーム１０が照射される部分において作用する磁界強度が低減することになる。
【００１８】
図６（Ｂ）は磁気ヘッド７の中心と光ビーム１０の光軸１８とが一致する状態であり、このとき、磁気ヘッド７と光学ヘッドとの位置関係が最適としていた。図７は従来の位置調整方法の他の一例の磁気ヘッドの位置ずれに応じた光磁気ディスクの再生信号の特性を示す図である。
図６（Ｂ）に示すように磁気ヘッド７の中心と光ビーム１０の光軸１８が一致した状態では、磁気ヘッド７から光磁気ディスク１９の光ビーム１０が照射される位置に印加される磁界強度は、最大となる。よって、その再生信号は図７に実線で示すように最大振幅となる。
【００１９】
また、図６（Ａ），（Ｃ）に示すように磁気ヘッド７で発生する磁界の中心と光ビーム１０の光軸１８とがずれた状態では、磁気ヘッド７から光磁気ディスク１９の光ビーム１０が照射される位置に印加される磁界強度は、減少する。よって、その再生信号は図７に破線で示すように振幅が小さくなる。
図７に示すように出力される再生信号を検出して、再生信号の振幅が最大となるように磁気ヘッド７の位置を調整する。
【００２０】
【発明が解決しようとする課題】
しかるに、情報の記録・再生の時間の短縮のために外部磁界の反転時間の短縮は効果的であり、特に磁界変調記録方式においては重要な意味を持つ。しかしながら、外部磁界の反転磁界の短縮は磁気ヘッドの小型化により達成される方向にあるが、その結果、有効磁界の範囲が縮小される。
【００２１】
磁気ヘッドと対物レンズとは位置調整され固定された後でも、熱による構成部材の微小な変形や外部磁界の有効範囲の変動が予想されるから、外部磁界の強度のピーク位置と光スポットの位置はできるだけ、正確に調整することが望ましい。また、調整後の固定の際に調整された状態を確実に維持する必要がある。  図３で説明した調整方法では、磁気ヘッド７に発生する磁界の強度のピーク位置のわずかなずれが調整しきれない等の問題点があった。
【００２２】
また、図６で説明した調整方法では、光検出器３６により検出される光磁気信号はあるレベル以上の外部磁界を印加していれば、その再生信号レベルが所定のレベル以上に達してしまうため、外部磁界の強度のピーク位置と光スポットの正確な位置合わせが行えない等の問題点があった。
【００２３】
本発明は上記の点に鑑みてなされたもので、光スポットと外部磁界との位置を正確に位置決めできる光磁気記憶装置の調整方法及び光磁気記憶装置を提供することを目的とする。
【００２４】
【課題を解決するための手段】
本発明は、光ビームを記録媒体の所望の位置に照射する光照射手段と、前記光ビームの照射位置に磁界を印加する磁界印加手段とを有する光磁気記憶装置の調整方法において、  前記記録媒体上での磁界強度の、前記記録媒体半径方向、接線方向に対する分布が、前記磁界印加手段の中央位置でピーク値となる円弧状の分布となる磁界を前記磁界印加手段から前記記録媒体に印加して、前記記録媒体から情報を再生し、その再生信号振幅に応じて前記磁界印加手段と前記光照射手段との相対位置を調整することを特徴とする。
【００２７】
上記本発明によれば、記録媒体上での磁界強度の、記録媒体半径方向、接線方向に対する分布が、磁界印加手段の中央位置でピーク値となる円弧状の分布となる磁界を磁界印加手段から記録媒体に印加ことにより、磁界強度分布の中心位置を確実に検出でき、よって、磁界強度分布の中心と光ビームの中心とを一致させることができる。
【００３０】
【発明の実施の形態】
本実施例では光磁気記憶装置として光磁気ディスク装置について説明する。
図８は本発明の一実施例の光磁気ディスク装置の構成図を示す。図８（Ａ）は全体構成図、図８（Ｂ）は光ピックアップの構成図を示す。なお、同図中、図５、図６と同一構成部分には同一符号を付し、その説明は省略する。
【００３１】
光磁気ディスク装置１００には、光磁気ディスク１９が装着される。光磁気ディスク１９は、光磁気ディスク装置１００に装着された状態で、その中心孔１０１がスピンドルモータ１０２に係合する。また、光磁気ディスク１９は、光磁気ディスク装置１００に装着されると、光ピックアップ１０３と磁気ヘッド７とで挟まれた状態とされ、情報の再生が行われる。
【００３２】
光ピックアップ１０３は、対物レンズ４、レンズホルダ６、アクチュエータ１０４を有する。光ピックアップ１０３は、ワイヤ１０３ａを介してキャリッジ１０５に揺動自在に保持され、光磁気ディスク１９に光ビームを照射する。レンズホルダ６は、キャリッジ１０５に揺動自在に保持され、レンズホルダ６とキャリッジ１０５とはアクチュエータ１０４により結合されている。レンズホルダ６は、アクチュエータ１０４によりフォーカシング及びトラッキング方向に揺動される。
【００３３】
アクチュエータ１０４は、図８（Ｂ）に示すようにレンズホルダ６に固定されたコイル１０４ａ及びキャリッジ１０５に固定された磁気回路１０４ｂから構成される。コイル１０４ａに電流を供給することにより磁気回路１０４ｂから磁気的に作用を受け、レンズホルダ６を揺動させる。
キャリッジ１０５はアクチュエータ１０６により光磁気ディスク１９の半径方向（矢印Ｄ方向）に移動する。
【００３４】
磁気ヘッド７は、サスペンションアーム１０７を介してキャリッジ１０５に保持される。磁気ヘッド７は、光磁気ディスク１９の光ピックアップ１０３から出射される光ビームが照射される部分に磁界を印加する。
本実施例では、基本的には図５〜図７に示す他の調整方法を用いて磁気ヘッド７に発生する磁界強度のピーク位置と光スポットとの位置調整を行う。このとき、本実施例では、通常の記録再生動作に用いる磁界強度を通常より小さくする。このように、通常の記録再生動作に用いる磁界強度を通常より小さくすることによりＣＮＲが良好な磁界強度を使用できる。
【００３５】
図９は外部磁界強度と再生信号振幅との関係を示す図である。
外部磁界強度に再生信号振幅が依存する光磁気ディスク１９では、磁気ヘッド７から光磁気ディスク１９に印加される外部磁界強度が２００〔Ｏｅ〕以下では外部磁界強度に応じて再生信号振幅が上昇するが、外部磁界強度が２００〜２５０〔Ｏｅ〕では再生信号振幅は飽和状態となり、２５０〔Ｏｅ〕以上では逆に減少する。
【００３６】
このため、２００〜２５０〔Ｏｅ〕の外部磁界を印加して調整を行うと、ピーク値付近では、再生信号振幅は飽和状態であるので、再生信号振幅をモニタしても磁界強度のピーク位置を明確にすることは困難となる。なお、ピーク値は、磁界強度分布で最大の分布領域をいう。
しかし、図９に示す外部磁界強度ａ〜ｂ（１２０〜１８０〔Ｏｅ〕）の間の磁界強度を光磁気ディスク１９に印加することにより再生信号振幅の変化率が大きいので、再生信号振幅をモニタすることで、再生信号振幅の最大値を簡単に検出できる。
【００３７】
このため、本実施例では、調整時に磁気ヘッド７から光磁気ディスク１９に図９に示す外部磁界強度ａ〜ｂ（１１０〜２１０〔Ｏｅ〕）が印加されるように磁気ヘッド７のコイルに供給する電流を設定する。
図１０は磁気ヘッドの位置に応じた外部磁界強度の分布を示す図である。Ｉc ，Ｉd は磁気ヘッド７に供給する電流値で、Ｉc ＞Ｉd の関係にある。
【００３８】
電流値Ｉc は、通常の再生で必要な磁界強度を得るための電流値であり、光磁気ディスク１９の記録面に平行な面（Ｘ−Ｙ平面）での磁界強度の分布はエッジ部分にピークを有し、中央部で凹状となる台形状の分布となる。
また、電流Ｉd は、通常の再生で必要な磁界強度を得るための電流値より小さい電流値であり、光磁気ディスクの記録面に平行な面（Ｘ−Ｙ平面）での磁界強度の分布は略中央でピークとなる円弧状の分布となる。
【００３９】
電流値Ｉc により、再生を行うことにより、磁界強度の分布が台形状のエッジ部分にピーク値を有する分布であるので、台形状のエッジ部分を磁界強度の中心と判断する恐れがある。しかし、電流Ｉc より小さい電流Ｉd により再生を行うことにより、磁界強度の分布が円弧状になり、磁界強度分布が中心に向かって段階的に大きくなるので、中心にピーク値を検出できるので、磁界強度の中心を確実に検出できる。
【００４０】
このとき、磁界強度は、磁気ヘッド７に供給する電流を制御することで変化させることができ、これにより再生信号振幅の変化率が大きくなる図９に示す磁界強度ａ〜ｂの範囲に設定する。
また、磁界強度は、磁気ヘッド７と光磁気ディスク１９との間隔により左右されるので、その間隔を調整することにより再生信号振幅の変化率が大きくなる図９に示す磁界強度ａ〜ｂの範囲内の任意の値に設定してもよい。
【００４１】
以上により求められた任意の磁界で光スポットに対して磁気ヘッドを移動させていきながら、すなわち、位置合わせしならがら、図５に示す光検知器２２で検出された再生信号振幅が最大となる位置を検出することにより、確実に磁気ヘッド７の磁界強度の中心を検出できる。
また、以下に説明するように磁界強度の分布を中心のピークが強調されるように光ビームに対向して磁性体を設けると、ピーク値の検出感度を高めることができる。
【００４２】
図１１は調整設備に磁性体を設けたときの要部の構成図である。
磁性体１０８は、先端が磁気ヘッド７で発生された磁界強度の中心となるべき位置、すなわち、光ビームの中心に配置され、調整用設備に固定される。
磁界強度の中心となるべき位置、すなわち、光ビームの中心に磁性体１０８を配置することにより、磁気ヘッド７で発生した磁束が磁性体１０８により集中される。このとき、磁性体１０８には、磁界の強度に応じて磁束が集中されるので、磁界強度が大きいほど、多くの磁束が集中する。よって、磁界の強度の差を増幅できる。このため、磁界強度の変化の影響を再生信号に大きく反映できる。
【００４３】
図１２は磁性体を設けたときの磁気ヘッドの位置に応じた外部磁界強度の分布を示す図である。
磁性体１０８により図１２に示すように中心位置が破線Ｇで示すように光スポットに対向し、磁界強度の中心位置となるべき位置で外部磁界強度がピークとなり、中心位置から比較的に大きな変化率で外部磁界が低減する特性が得られる。
【００４４】
図１３は磁界強度の分布を等高線で示した図を示す。図１３（Ａ）は磁界強度分布Ｉ、図１３（Ｂ）は磁界強度分布Ｇ，Ｈを等高線で示した図を示す。
図１３（Ａ）に示すように磁性体を設けない場合における磁界強度分布Ｉは、等高線の密度が低い。すななち、位置に応じた磁界強度の変化が小さいので、磁界強度のピークが検出しにくいことがわかる。これに対して、図１３（Ｂ）に示すように磁性体を設けた場合における磁界強度分布Ｇ，Ｈは、等高線の密度が高い。すなわち、位置に応じた磁界強度の変化が大きいので、磁界強度のピーク値が検出しやすいことがわかる。
【００４５】
以上のように光ビームに対向して磁性体１０８を設けることにより外部磁界のピーク値を容易に判定でき、よって、外部磁界の中心を確実かつ容易に検出できる。
なお、このとき、磁性体１０８の先端は尖った形状とすることにより、磁束が磁性体１０８の先端に集中し、磁束を光ビームに集中できるので、磁界の強度の変化を増幅できる。
【００４６】
また、本実施例では、磁界の強度の分布を強調するために磁性体１０８を用いたが、磁気ヘッド７に通常の記録再生を行う場合のコイルの他に調整用のコイルを設けてもよい。
図１４は本発明の他の実施例の磁気ヘッドの要部の構成図を示す。図１４（Ａ）は平面図、図１４（Ｂ）はＡ−Ａ断面図を示す。
【００４７】
磁気ヘッド７は、ヨーク１０９及び第１のコイル１１０，第２のコイル１１１から構成される。ヨーク１０９は磁気ヘッド７の中心に配置され、その周囲には第１のコイル１１０が巻回される。
また、第１のコイル１１０の外周には第２のコイル１１１が巻回される。第２のコイル１１１は、通常の記録・再生時に電流が供給され、光磁気ディスク１９に外部磁界を供給する。第１のコイル１１０は、磁気ヘッド７で発生する磁界の中心と光ビームとの位置決め時に電流が供給される。
【００４８】
調整時には第１のコイル１１０にのみ電流が供給される。第１のコイル１１０にのみ電流が供給することにより、磁気ヘッド７にはその中心部にだけ磁界が集中して発生する。このため、第１のコイル１１０により発生する磁界は、図１２に示す磁界分布Ｈに示すような特性にすることができる。
また、通常の記録・再生時には、第２のコイル１１１にのみに電流を供給する。第２のコイル１１１にのみに電流を供給することにより、磁気ヘッド７に発生する磁界は図１２に示す磁界分布Ｉに示すように平坦な特性となり、広い範囲に亘って磁界が印加され、確実に記録・再生が行えるようになる。
【００４９】
第１のコイル１１０を磁気ヘッド７に予め組み込んでおくことにより、光ビームと磁性体１０８との位置決めが不要となる。
次に、磁気ヘッド７の固定方法について説明する。
図１５は本発明の一実施例の磁気ヘッドの固定部分の平面図、図１６は本発明の一実施例の磁気ヘッドの固定部分の断面図を示す。
【００５０】
磁気ヘッド７は、サスペンションアーム１０７の先端に固定される。サスペンションアーム１０７は、板バネから構成され、磁気ヘッド７を光磁気ディスク１９の記録面に直交する方向に弾性的に揺動可能に保持する。また、サスペンションアーム１０７の他端は、キャリッジ１０５に保持される。
調整前にはサスペンションアーム１０７は、板バネ１１３によりキャリッジ１０５に弾性的に押圧されて、キャリッジ１０５に保持される。板バネ１１３は、略Ｌ字状に折曲され、固定部１１３ａと保持部１１３ｂとから構成される。
【００５１】
固定部１１３ａは、Ｌ字の底辺の面であり、キャリッジ１０５の側面にネジ１１４により固定される。また、保持部１１３ｂは、Ｌ字の側辺の面であり、キャリッジ１０５の上面を押圧する。
調整は、サスペンションアーム１０７を板バネ１１３によりキャリッジ１０５に保持しただけの状態、すなわち、サスペンションアーム１０７を光磁気ディスク１９の記録面に平行な方向に移動可能な状態で行う。
【００５２】
サスペンションアーム１０７には、係合孔１０７ａが設けられ、この係合孔１０７ａに調整設備の移動用アームが係合する。調整設備は、移動用アームを移動させることによりサスペンションアーム１０７を移動させる。
調整設備によりサスペンションアーム１０７を移動させつつ、光磁気ディスクから情報を再生し、再生信号から図１２に示すような磁界強度の分布を求める。
【００５３】
なお、このとき、光磁気ディスク１９の再生信号は、外部磁界強度に応じた出力レベルとなる。このため、再生信号レベルを検出することにより外部磁界強度を検出できる。
調整設備は、図１２に示すような磁界強度分布で磁界強度が最大となる位置にサスペンションアーム１０７を移動させる。以上により、サスペンションアーム１０７がキャリッジ１０５に対して最適位置に位置決めされる。サスペンションアーム１０７は、キャリッジ１０５に対して位置決めされると、次に、板バネ１１３に接着剤１１５などにより接着される。以上によりサスペンションアーム１０７がキャリッジ１０５に固定される。
【００５４】
ここで、調整前のサスペンションアーム１０７のキャリッジ１０５への保持方法について説明する。
キャリッジ１０５のサスペンションアーム１０７を保持する保持部１１２ａの内部には永久磁石１１６が固定される。板バネ１１３をキャリッジ１０５にネジ１１４により固定する前に、まず、サスペンションアーム１０７の他端１０７ｂをキャリッジ１０５の保持部１１２ａに永久磁石１１６の磁力により吸引して、吸着させる。
【００５５】
次に、板バネ１１３の保持部１１３ｂがサスペンションアーム１０７の上面を押圧するように板バネ１１３をキャリッジ１０５にネジ１１４によりネジ留めする。板バネ１１３の固定部１１３ａをキャリッジ１０５にネジ留めすることにより板バネ１１２の保持部１１２ａによりサスペンションアーム１０７の他端１０７ｂがキャリッジ１０５の保持部１１２ａに押圧され、保持される。
【００５６】
このように永久磁石１１６によりサスペンションアーム１０７を容易にキャリッジ１０５に保持でき、サスペンションアーム１０７を抑えながら板バネ１１３を固定する必要がなく作業を容易に行える。
また、サスペンションアーム１０７を接着剤１１５により板バネ１１３に接着することによりキャリッジ１０５に固定することにより、ネジ締めなど異なり不要な力がサスペンションアーム１０７に加わることがないので、サスペンションアーム１０７がずれる恐れがない。
【００５７】
なお、上記の方法により磁気ヘッド７を磁気ヘッド７で発生した磁界の中心と光ピックアップ１０３から光磁気ディスク１９に照射される光ビームとが一致するように位置決めし、光磁気ディスク装置１００を装置として完成させた後、上記の調整方法と同様に磁気ヘッド７に上記再生信号振幅の変化率が大きくなるような磁界強度となるような電流を供給し、再生信号を得てその振幅を検出し、再生信号が最大となるように光ピックアップ１０３を構成するアクチュエータ１０４に供給する駆動信号のＤＣ成分を設定するようにしてもよい。このように、装置完成後、再生信号が最大となるように光ピックアップ１０３を構成するアクチュエータ１０４に供給する駆動信号のＤＣ成分を設定することにより、調整後、磁気ヘッド７に微小なずれか生じても、容易に調整を行うことができる。
【００５８】
また、上記実施例では光磁気ディスク装置について説明したが、外部磁界と光ビームとの位置決めする必要があるものであればよく、他に例えば、光磁気カードに記録再生を行う装置の外部磁界と光ビームとを位置決め調整にも適用できる。
【００５９】
【発明の効果】
上述の如く、本発明によれば、記録媒体上での磁界強度の、記録媒体半径方向、接線方向に対する分布が、磁界印加手段の中央位置でピーク値となる円弧状の分布となる磁界を磁界印加手段から記録媒体に印加ことにより、磁界強度分布の中心位置を確実に検出でき、よって、磁界強度分布の中心と光ビームの中心とを一致させることができる等の特長を有する。
【図面の簡単な説明】
【図１】従来の光磁気ディスク装置の一例の要部の構成図である。
【図２】従来の位置調整方法の一例の動作説明図である。
【図３】従来の位置調整方法の一例の動作説明図である。
【図４】従来の位置調整方法の一例の位置ずれに応じた光磁気ディスクの反射光量の特性を示す図である。
【図５】従来の位置調整方法の他の一例の動作説明図である。
【図６】従来の位置調整方法の他の一例の動作説明図である。
【図７】従来の位置調整方法の他の一例の位置ずれに応じた光磁気ディスクの再生信号の特性を示す図である。
【図８】本発明の一実施例の光磁気ディスク装置の構成図である。
【図９】外部磁界強度と再生信号振幅との関係を示す図である。
【図１０】磁気ヘッドの位置に応じた外部磁界強度の分布を示す図である。
【図１１】調整設備に磁性体を設けたときの要部の構成図である。
【図１２】磁性体を設けたときの磁気ヘッドの位置に応じた外部磁界強度の分布を示す図である。
【図１３】磁界強度の分布を等高線で示した図である。
【図１４】磁気ヘッドの変形例の要部の構成図である。
【図１５】本発明の一実施例の磁気ヘッドの固定部分の平面図である。
【図１６】本発明の一実施例の磁気ヘッドの固定部分の断面図である。
【符号の説明】
１  光学系
２  光源
３  反射ミラー
４  対物レンズ
６  レンズホルダ
７  磁気ヘッド
８  サスペンションアーム
９  キャリッジ
１６  ビームスプリッタ
２０  ウォラストンプリズム
２１  集光レンズ
２２  光検知器
１９  光磁気ディスク
１００  光磁気ディスク装置
１０２  スピンドルモータ
１０３  光ピックアップ
１０４  アクチュエータ
１０４ａ  コイル
１０４ｂ  マグネット
１０５  キャリッジ
１０６  アクチュエータ
１０７  サスペンションアーム
１０７ａ  係合孔
１０７ｂ  保持部
１０８  磁性体
１０９  ヨーク
１１０  第１のコイル
１１１  第２のコイル
１１２  キャリッジ
１１３  板バネ
１１３ａ  保持部
１１３ｂ  固定部
１１４  ネジ
１１５  接着剤
１１６  永久磁石
【図１】
0003647651.tif 000002
【図２】
0003647651.tif 000003
【図３】
0003647651.tif 000004
【図４】
0003647651.tif 000005
【図５】
0003647651.tif 000006
【図６】
0003647651.tif 000007
【図７】
0003647651.tif 000008
【図８】
0003647651.tif 000009
【図９】
0003647651.tif 000010
【図１０】
0003647651.tif 000011
【図１１】
0003647651.tif 000012
【図１２】
0003647651.tif 000013
【図１３】
0003647651.tif 000014
【図１４】
0003647651.tif 000015
【図１５】
0003647651.tif 000016
【図１６】
0003647651.tif 000017